(57)【要約】【課題】弱視者であっても、暗い室内であっても手探りで電源スイッチを探してこれを容易に操作することができる画像形成装置を提供すること。【解決手段】筐体９の外面部に電源スイッチ１０を配置して成る画像形成装置において、前記電源スイッチ１０を前記筐体９の外面に形成された段凹部９Ａと段凸部９Ｂとの境界である稜線９ａに沿う位置に配置する。又、前記筐体９の段凸面９Ｂに凹部９ｂを形成し、該凹部９ｂ内に前記電源スイッチ１０を配置する。更に、前記凹部９ｂの開口部を開閉可能なスイッチ保護カバー１１で覆う。【選択図】図３
2011221057.tif 000002
【特許請求の範囲】
【請求項１】
筐体の外面部に電源スイッチを配置して成る画像形成装置において、
前記電源スイッチを前記筐体の外面に形成された段部の稜線に沿う位置に配置したことを特徴とする画像形成装置。
【請求項２】
前記筐体の段凸面に凹部を形成し、該凹部内に前記電源スイッチを配置したことを特徴とする請求項１記載の画像形成装置。
【請求項３】
前記凹部の開口部を開閉可能なスイッチ保護カバーで覆ったことを特徴とする請求項２記載の画像形成装置。
【請求項４】
前記筐体の外部面は略垂直に延びる段凹面と段凸面を繋ぐ略水平な段差面を有し、前記電源スイッチを前記段差面上に配置したことを特徴とする請求項１又は２記載の画像形成装置。
【請求項５】
前記段差面は、前記段凹面から傾斜して上方に段凸面まで延び、前記電源スイッチを前記段差面に沿って配置したことを特徴とする請求項４記載の画像形成装置。
【発明の詳細な説明】
【技術分野】
【０００１】
本発明は、装置本体の外面部に電源スイッチを配置して成る画像形成装置に関するものである。
【背景技術】
【０００２】
電子写真プロセスを経て用紙に画像を形成する複写機やプリンタ等の画像形成装置においては、装置本体への電源の供給をＯＮ／ＯＦＦするための電源スイッチが筐体の外面に配置されている。
【０００３】
ところで、電源スイッチの配置等に関して例えば特許文献１には、オペレータが誤って電源スイッチを切ろうとした場合に、それを妨げるように開閉可能なカバーを取り付ける構成が提案されている。
【０００４】
又、特許文献２には、コピーやファクシミリとしての複合機能を有する画像形成装置のメインスイッチを習慣的或いは無意識的にオフすることがないように、画像形成部の側面の凹部にメインスイッチを設け、このメインスイッチを上下方向に回動開閉可能なカバーで覆う構成が提案されている。
【０００５】
更に、特許文献３には、複数の構成機器感を連設する画像形成装置において他の機器と隣り合う側面に電源スイッチ等を設ける場合でも電源スイッチ等を操作性良く操作することができるよう、隣り合う一方の機器の電源スイッチ等に対応する位置に切欠きを形成する攻勢が提案されている。
【先行技術文献】
【特許文献】
【０００６】
【特許文献１】特開平５−００６７２２号公報
【特許文献２】特開平１１−２２０５５９号公報
【特許文献３】特開２０００−２７５９２３号公報
【発明の概要】
【発明が解決しようとする課題】
【０００７】
しかしながら、従来の画像形成装置においては、弱視者は電源スイッチを簡単に見付けてこれを操作することは困難である。又、健常者であっても暗い室内では同様に電源スイッチを見付けて操作することは困難である。
【０００８】
本発明は上記問題に鑑みてなされたもので、その目的とする処は、弱視者であっても、暗い室内であっても手探りで電源スイッチを探してこれを容易に操作することができる画像形成装置を提供することにある。
【課題を解決するための手段】
【０００９】
上記目的を達成するため、請求項１記載の発明は、筐体の外面部に電源スイッチを配置して成る画像形成装置において、前記電源スイッチを前記筐体の外面に形成された段部の稜線に沿う位置に配置したことを特徴とする。
【００１０】
請求項２記載の発明は、請求項１記載の発明において、前記筐体の段凸面に凹部を形成し、該凹部内に前記電源スイッチを配置したことを特徴とする。
【００１１】
請求項３記載の発明は、請求項２記載の発明において、前記凹部の開口部を開閉可能なスイッチ保護カバーで覆ったことを特徴とする。
【００１２】
請求項４記載の発明は、請求項１又は２記載の発明において、前記筐体の外部面は略垂直に延びる段凹面と段凸面を繋ぐ略水平な段差面を有し、前記電源スイッチを前記段差面上に配置したことを特徴とする。
【００１３】
請求項５記載の発明は、請求項４記載の発明において、前記段差面は、前記段凹面から傾斜して上方に段凸面まで延び、前記電源スイッチを前記段差面に沿って配置したことを特徴とする。
【発明の効果】
【００１４】
本発明によれば、電源スイッチを筐体の外面に形成された段部の稜線に沿う位置に配置したため、弱視者であっても或いは暗い室内であっても、筐体の段部の稜線に沿って手を移動させれば、この稜線がガイドとなって電源スイッチへと手が誘導されるため、この電源スイッチを容易に探し出してこれを確実に操作（ＯＮ／ＯＦＦ）することができる。
【図面の簡単な説明】
【００１５】
【図１】本発明に係る画像形成装置の斜視図である。
【図２】本発明に係る画像形成装置の概略断面図である。
【図３】図１のＡ部を斜め下方から見た部分斜視図（スイッチ保護カバーが閉じられている状態を示す図）である。
【図４】図１のＡ部を斜め下方から見た部分斜視図（スイッチ保護カバーが開けられた状態を示す図）である。
【図５】本発明の別実施形態に係る画像形成装置の電源スイッチ部分を斜め下方から見た部分斜視図である。
【図６】（ａ）は本発明の別実施形態に係る画像形成装置の電源スイッチ部の断面図、（ｂ）は同スイッチ部の変形例を示す断面図である。
【発明を実施するための形態】
【００１６】
以下に本発明の実施の形態を添付図面に基づいて説明する。
【００１７】
図１は本発明に係る画像形成装置の斜視図、図２は同画像形成装置の概略断面図、図３及び図４は図１のＡ部を斜め下方から見た部分斜視図であって、図３はスイッチ保護カバーが閉じられている状態を示し、図４はスイッチ保護カバーが開けられた状態を示す。
【００１８】
本実施の形態に係る画像形成装置１は複写機能とプリンタ機能及びファクシミリ機能を備えた複合機（ＭＦＰ）であって、図１及び図２に示すように、装置本体２の上部には画像読取装置３が配置され、画像読取装置３の前面側には、複数の操作ボタンや表示部が設けられたボード状の操作表示部４が設けられている。そして、装置本体２と画像読取装置３との間には手前に向かって開口する排紙トレイ５が設けられている。
【００１９】
又、装置本体２の前面には手前側に開くことができる開閉カバー６が設けられており、その下方には手前側に引き出すことができる上下２段の給紙カセット７，８が設けられている。そして、図２に示すように、装置本体２の内部には、像担持体である感光体ドラム１２、該感光体ドラム１２の表面を一様に帯電させる帯電器１３、帯電された感光体ドラム１２に画像情報に応じた光を照射して感光体ドラム１２上に静電潜像を形成するレーザースキャナユニット（ＬＳＵ）等の光走査装置１４、現像剤であるトナーを用いて感光体ドラム１２上の静電潜像を現像してこれを顕像化する現像装置１５、感光体ドラム１２上のトナー像を前記給紙カセット７，８から供給される用紙上に転写させる転写装置１６、転写されたトナー像を用紙上に定着させる定着装置１７等の各種プロセス機器が収容されている。そして、一連の電子写真プロセスを経て画像が形成された用紙は、排紙トレイ５に排出される。
【００２０】
又、装置本体２の右側部には上下方向に延びる搬送パスＳが形成されており、搬送パスＳの右横には、用紙の両面に画像を形成する場合に使用される別の搬送パスＳ’が略平行に形成されている。そして、更にその右の装置本体２の外側の側面にはバイパス給紙部１８が設けられている。バイパス給紙部１８には給紙トレイ１８ａが設けられており、該給紙トレイ１８ａは非使用時には装置本体２の右側面に沿って収納可能になっている。
【００２１】
ところで、装置本体２の矩形ボックス状の筐体９の側面下部には、図３〜図５に示すように、給紙カセット７，８に隣接する段凹部９Ａが形成されており、その上方の搬送パスＳ、Ｓ´及び給紙トレイ１８ａを収納する部分は段凹部９Ａに対して外側方に張り出す段凸部９Ｂを構成している。従って、筐体９の側面の段凹部９Ａと段凸部９Ｂの境界には前後方向に沿う稜線９ａが存在し、この稜線９ａに沿う奥側の段凸部９Ｂには、図４に示すように矩形の凹部９ｂが形成されており、この凹部９ｂ内に電源スイッチ１０が配置されている。尚、電源スイッチ１０は、装置本体２への電源の供給をＯＮ／ＯＦＦする機能を果たすものである。
【００２２】
筐体９の段凸部９Ｂに形成された凹部９ｂの側方に開口する開口部は、上端を中心として回動するスイッチ保護カバー１１によって開閉されるが、電源スイッチ１０を操作しないときにはスイッチ保護カバー１１は図３に示すように閉じられて電源スイッチ１０を覆ってこれを保護している。そして、電源スイッチ１０を操作するときには、図４に示すようにスイッチ保護カバー１１を上端を中心として回動させてこれを開き、筐体９の凹部９ｂに露出する電源スイッチ１０を操作することができる。
【００２３】
而して、本実施の形態に係る画像形成装置１においては、電源スイッチ１０を筐体９の側面に形成された段凹部９Ｂと段凸部９Ｂとの境界である稜線９ａに沿う位置に配置したため、弱視者であっても或いは暗い室内であっても、筐体９の稜線９ａに沿って手を移動させれば、この稜線９ａがガイドとなって電源スイッチ１０へとオペレータの手が誘導されるため、この電源スイッチ１０の位置を手探りによって容易に探し出し、図４に示すようにスイッチ保護カバー１１を開いて電源スイッチ１０を容易且つ確実に操作（ＯＮ／ＯＦＦ）することができる。
【００２４】
次に、本発明の別実施形態２を図５及び図６に基づいて説明する。
図５は本発明の別実施形態に係る画像形成装置の電源スイッチ部分を斜め下方から見た部分斜視図、図６（ａ）は同画像形成装置の電源スイッチ部の断面図、図６（ｂ）は同スイッチ部の変形例を示す断面図である。
図５及び図６（ａ）に示すように、本実施の形態では、電源スイッチ１０は段凹部９Ａと段凸部９Ｂの間で下方に面している段差面９Ｃ上に設けられている。従って、前記実施形態と同様に筐体９の稜線９ａに沿って手を移動させれば、電源スイッチ１０を容易且つ確実に操作（ＯＮ／ＯＦＦ）することができる。又、段差面９Ａは下方に面しているため、通常の操作において触れることはなく、保護カバー等は不要である。
【００２５】
又、図６（ｂ）に示す例では、段差面９Ｃは、段凹部９Ａから傾斜して上方に延びて段凸部９Ｂに繋がっている。電源スイッチ１０は傾斜した段差面９Ａに沿って配置されている。従って、筐体９の稜線９ａに沿って手を移動させれば、電源スイッチ１０を容易且つ確実に操作（ＯＮ／ＯＦＦ）することができる。又、段差面９Ａは下方に傾斜しているため、通常の操作において電源スイッチ１０に触れる危険性は低いとともに、電源スイッチ１０の状態を使用者が確認することも容易である。
【００２６】
尚、以上は本発明を複合機に対して適用した形態について説明したが、本発明は、複写機やプリンタ等の他の任意の画像形成装置に対しても同様に適用可能であることは勿論である。
【符号の説明】
【００２７】
１      画像形成装置
２      装置本体
３      画像読取装置
４      操作表示部
５      排紙トレイ
６      開閉カバー
７，８  給紙カセット
９      筐体
９Ａ    筐体の段凹部
９Ｂ    筐体の段凸部
９Ｃ    筺体の段差面
９ａ    筐体の稜線
９ｂ    筐体の凹部
１０    電源スイッチ
１１    スイッチ保護カバー
１２    感光体ドラム
１３    帯電器
１４    光走査装置
１５    現像装置
１６    転写装置
１７    定着装置
１８    バイパス給紙部
１８ａ  給紙トレイ
【図１】
2011221057.tif 000003
【図２】
2011221057.tif 000004
【図３】
2011221057.tif 000005
【図４】
2011221057.tif 000006
【図５】
2011221057.tif 000007
【図６】
2011221057.tif 000008